(57)【要約】本発明は、音声通信のような通信システム上の移動ノードに対して頻繁に（１０から２０ミリ秒毎）配信される比較的小さなデータパケット（例えば１０から２０バイトの長さ）を効率的に伝送することができる優れた無線通信システムに関する。圧縮されていないＴＣＰ／ＩＰまたはＵＤＰ／ＩＰヘッダ長は比較的小さいデータパケットに比して不釣り合いに大きいため、無線基地局制御装置（ＢＳＣ）と無線基地局（ＢＴＳ）との間のバックホール接続上の帯域幅は効率的に用いられない。本発明は、ユーザ接続をマップし、比較的小さいデータパケットサイズの情報パケットの大きいヘッダを取り去るＩＰ適応層（ＩＰＡＬ）を用い、バックホール接続上でトンネリングするＩＰＡＬ情報パケット中にそのデータパケットを連結して入れ込むことにより、バックホール接続上の情報パケットの伝送を最適化する。このようにして、本発明は、情報パケット伝送のオーバヘッド（例えば、ヘッダ）を選択的に減らすことによりバックホール接続上の帯域幅をより効率的に使用する。
2004512787.tif 000002
【特許請求の範囲】
【請求項１】
無線基地局制御装置を備える通信システム上の移動ノードに対する通信方法であって、
無線基地局制御装置から伝送されるデータパケットをそれぞれ有する多量のユーザ情報パケットを受信するステップと、
その多量のユーザ情報パケットにおいて選択されたデータパケットから適応層の情報パケットを作成するステップと、
無線基地局制御装置から適応層の情報パケットをトンネリングするステップとを有する
ことを特徴とする移動ノードに対する通信方法。
【請求項２】
請求項１に記載された移動ノードに対する通信方法において、
適応層の情報パケットの作成に使用される選択されたデータパケットは、ユーザ情報パケットのヘッダのサイズよりも小さいサイズのデータパケットを含む
ことを特徴とする移動ノードに対する通信方法。
【請求項３】
請求項１に記載された移動ノードに対する通信方法において、
適応層の情報パケットの作成に使用される選択されたデータパケットは、無線基地局制御装置から頻繁に伝送されるデータパケットを含む
ことを特徴とする移動ノードに対する通信方法。
【請求項４】
請求項３に記載された移動ノードに対する通信方法において、
適応層の情報パケットの作成に使用される選択されたデータパケットは、ユーザ情報パケットのヘッダの大きさよりも小さいサイズのデータパケットを含む
ことを特徴とする移動ノードに対する通信方法。
【請求項５】
請求項１に記載された移動ノードに対する通信方法において、
適応層の情報パケットの作成は、各データパケットに小さいヘッダを付加することを含む
ことを特徴とする移動ノードに対する通信方法。
【請求項６】
請求項５に記載された移動ノードに対する通信方法において、
小さいヘッダはチャネル識別子設定値を含む
ことを特徴とする移動ノードに対する通信方法。
【請求項７】
請求項５に記載された移動ノードに対する通信方法において、
小さいヘッダは長さ表示設定値を含む
ことを特徴とする移動ノードに対する通信方法。
【請求項８】
請求項５に記載された移動ノードに対する通信方法において、
小さいヘッダはユーザ制御設定値を含む
ことを特徴とする移動ノードに対する通信方法。
【請求項９】
請求項５に記載された移動ノードに対する通信方法において、
小さいヘッダはエラー制御設定値を含む
ことを特徴とする移動ノードに対する通信方法。
【請求項１０】
請求項１に記載された移動ノードに対する通信方法において、
適応層の情報パケットの作成は、多数のデータパケットを連結して適応層の情報パケット中に入れ込む
ことを特徴とする移動ノードに対する通信方法。
【請求項１１】
請求項１０に記載された移動ノードに対する通信方法において、
適応層の情報パケットの作成は、適応層の情報パケットにＩＰヘッダを付加することを含む
ことを特徴とする移動ノードに対する通信方法。
【請求項１２】
請求項１に記載された移動ノードに対する通信方法において、更に、
無線基地局制御装置に接続する無線基地局において適応層の情報パケットを受信した後にその適応層の情報パケットをデプロセスするステップを有する
ことを特徴とする移動ノードに対する通信方法。
【請求項１３】
請求項１２に記載された移動ノードに対する通信方法において、
適応層の情報パケットをデプロセスすることは、適応層の情報パケットからＩＰヘッダを取り除くことを含む
ことを特徴とする移動ノードに対する通信方法。
【請求項１４】
請求項１２に記載された移動ノードに対する通信方法において、
適応層の情報パケットをデプロセスすることは、移動ノードへ伝送する各データパケットを適応層の情報パケットから分離することを含む
ことを特徴とする移動ノードに対する通信方法。
【請求項１５】
無線基地局制御装置を備える通信システム上の移動ノードに対する通信方法であって、
無線基地局制御装置から伝送されるデータパケットをそれぞれ有する多量のユーザ情報パケットを受信するステップと、
その多量のユーザ情報パケットにおいて選択されたデータパケットから適応層の情報パケットを作成するステップとを有し、
その適応層の情報パケットの作成は、多数のデータパケットを連結して適応層の情報パケット中に入れ込むことと、適応層の情報パケットにＩＰヘッダを付加することを含み、
無線基地局制御装置から適応層の情報パケットをトンネリングするステップを有する
ことを特徴とする移動ノードに対する通信方法。
【請求項１６】
請求項１５に記載された通信システム上の移動ノードに対する通信方法であって、
適応層の情報パケットの作成に使用される選択されたデータパケットはユーザ情報パケットのヘッダのサイズより小さいサイズのデータパケットを含む
ことを特徴とする移動ノードに対する通信方法。
【請求項１７】
請求項１５に記載された通信システム上の移動ノードに対する通信方法であって、
適応層の情報パケットの作成に使用される選択されたデータパケットは無線基地局制御装置から頻繁に伝送されるデータパケットを含む
ことを特徴とする移動ノードに対する通信方法。
【請求項１８】
請求項１７に記載された通信システム上の移動ノードに対する通信方法であって、
適応層の情報パケットの作成に使用される選択されたデータパケットはユーザ情報パケットのヘッダのサイズより小さいサイズのデータパケットを含む
ことを特徴とする移動ノードに対する通信方法。
【請求項１９】
請求項１５に記載された通信システム上の移動ノードに対する通信方法であって、
適応層の情報パケットの作成は、各データパケットに小さいヘッダを付加することを含む
ことを特徴とする移動ノードに対する通信方法。
【請求項２０】
請求項１９に記載された移動ノードに対する通信方法において、
小さいヘッダはチャネル識別子設定値を含む
ことを特徴とする移動ノードに対する通信方法。
【請求項２１】
請求項１９に記載された移動ノードに対する通信方法において、
小さいヘッダは長さ表示設定値を含む
ことを特徴とする移動ノードに対する通信方法。
【請求項２２】
請求項１９に記載された移動ノードに対する通信方法において、
小さいヘッダはユーザ制御設定値を含む
ことを特徴とする移動ノードに対する通信方法。
【請求項２３】
請求項１９に記載された移動ノードに対する通信方法において、
小さいヘッダはエラー制御設定値を含む
ことを特徴とする移動ノードに対する通信方法。
【請求項２４】
請求項１５に記載された移動ノードに対する通信方法において、更に、
無線基地局制御装置に接続する無線基地局において適応層の情報パケットを受信した後にその適応層の情報パケットをデプロセスするステップを有する
ことを特徴とする移動ノードに対する通信方法。
【請求項２５】
請求項２４に記載された移動ノードに対する通信方法において、
適応層の情報パケットをデプロセスすることは、適応層の情報パケットからＩＰヘッダを取り除くことを含む
ことを特徴とする移動ノードに対する通信方法。
【請求項２６】
請求項２４に記載された移動ノードに対する通信方法において、
適応層の情報パケットをデプロセスすることは、移動ノードへ伝送する各データパケットを適応層の情報パケットから分離することを含む
ことを特徴とする移動ノードに対する通信方法。
【請求項２７】
無線通信ネットワークにおける移動ノードに対する通信システムであって、
電話通信網に接続する無線基地局制御装置と、
バックホール接続によって無線基地局制御装置に接続する無線基地局とを備え、
前記無線基地局は、通信ネットワーク上の移動ノードと通信可能であり、
無線基地局制御装置は、無線基地局制御装置から伝送されるデータパケットをそれぞれ有する多量のユーザ情報パケットを受信し、その多量のユーザ情報パケットにおいて選択されたデータパケットから、後に無線基地局へトンネリングする適応層の情報パケットを作成する
ことを特徴とする移動ノードに対する通信システム。
【請求項２８】
請求項２７に記載された通信システムにおいて、
適応層の情報パケットの作成に使用される選択されたデータパケットは、ユーザ情報パケットのヘッダのサイズよりも小さいサイズのデータパケットを含む
ことを特徴とする移動ノードに対する通信システム。
【請求項２９】
請求項２７に記載された通信システムにおいて、
適応層の情報パケットの作成に使用される選択されたデータパケットは無線基地局制御装置から頻繁に伝送されるデータパケットを含む
ことを特徴とする移動ノードに対する通信システム。
【請求項３０】
請求項２９に記載された通信システムにおいて、
適応層の情報パケットの作成に使用される選択されたデータパケットはユーザ情報パケットのヘッダのサイズより小さいサイズのデータパケットを含む
ことを特徴とする移動ノードに対する通信システム。
【請求項３１】
請求項２７に記載された通信システムにおいて、
無線基地局制御装置は、各データパケットに小さいヘッダを付加することにより適応層の情報パケットを作成する
ことを特徴とする移動ノードに対する通信システム。
【請求項３２】
請求項３１に記載された通信システムにおいて、
小さいヘッダはチャネル識別子設定値を含む
ことを特徴とする移動ノードに対する通信システム。
【請求項３３】
請求項３１に記載された通信システムにおいて、
小さいヘッダは長さ表示設定値を含む
ことを特徴とする移動ノードに対する通信システム。
【請求項３４】
請求項３１に記載された通信システムにおいて、
小さいヘッダはユーザ制御設定値を含む
ことを特徴とする移動ノードに対する通信システム。
【請求項３５】
請求項３１に記載された通信システムにおいて、
小さいヘッダはエラー制御設定値を含む
ことを特徴とする移動ノードに対する通信システム。
【請求項３６】
請求項２７に記載された通信システムにおいて、
無線基地局制御装置は、多数のデータパケットを連結することにより適応層の情報パケットを作成する
ことを特徴とする移動ノードに対する通信システム。
【請求項３７】
請求項２７に記載された通信システムにおいて、
無線基地局制御装置は、適応層の情報パケットにＩＰヘッダを付加することにより適応層の情報パケットを作成する
ことを特徴とする移動ノードに対する通信システム。
【請求項３８】
請求項２７に記載された通信システムにおいて、
無線基地局は、無線基地局において適応層の情報パケットを受信した後にその適応層の情報パケットをデプロセスする
ことを特徴とする移動ノードに対する通信システム。
【請求項３９】
請求項３８に記載された通信システムにおいて、
無線基地局は、適応層の情報パケットからＩＰヘッダを取り除くことにより適応層の情報パケットをデプロセスする
ことを特徴とする移動ノードに対する通信システム。
【請求項４０】
請求項３８に記載された通信システムにおいて、
無線基地局は、移動ノードへ伝送する各データパケットを適応層の情報パケットから分離することにより適応層の情報パケットをデプロセスする
ことを特徴とする移動ノードに対する通信システム。
【発明の詳細な説明】
【０００１】
【発明の属する技術分野】
本発明は、優れた無線通信システムおよび無線基地局制御装置（ｂａｓｅ　ｓｔａｔｉｏｎ　ｃｏｎｔｒｏｌｌｅｒ　ｕｎｉｔ）と無線基地局（ｂａｓｅ　ｔｒａｎｓｃｅｉｖｅｒ　ｕｎｉｔ）とのバックホール接続上で動作する優れた方法に関する。
【０００２】
【従来の技術】
近年の移動通信システムを、図１に示す。図１では、公衆交換電話網［Ｐｕｂｌｉｃ　Ｓｗｉｔｃｈｅｄ　Ｔｅｌｅｐｈｏｎｅ　Ｎｅｔｗｏｒｋ］（「ＰＳＴＮ」）１０が、接続ライン１２経由で移動通信用交換機１５に接続されている。雲あるいはネットワークで構成されるものとして表されるインターネット２０が、接続ライン２２経由でパケットデータサービスノード２４に接続している。移動通信用交換機１５は、接続ライン１７経由で基地局制御装置［Ｂａｓｅ　Ｓｔａｔｉｏｎ　Ｃｏｎｔｒｏｌｌｅｒ　Ｕｎｉｔ］（「ＢＳＣ」）１９に接続しており、パケットデータサービスノード２４は、接続ライン２５経由で基地局制御装置１９に接続している。
【０００３】
通信システムにおける通信は、ＰＳＴＮ１０、インターネット２０またはＭＮ１ ６５、ＭＮ２ａ７５、ＭＮ２ｂ８５、ＭＮ２ｃ９５、ＭＮ３１０５、ＭＮ４ １１５に示す移動ノードと呼ばれることがある移動装置へ伝送するためにＢＳＣ１９によって処理される。移動ノードＭＮ１ ６５への通信のために、ＢＳＣ１９はバックホール接続４０を通じて無線基地局［Ｂａｓｅｓｔａｔｉｏｎ　Ｔｒａｎｓｃｅｉｖｅｒ　Ｓｕｂｓｙｓｔｅｍ　Ｕｎｉｔ］（「ＢＴＳ」）４５へ通信する。ＢＴＳ５０はバックホール接続３５経由でＢＳＣ装置１９に接続し、ＢＴＳ５５はバックホール接続３０経由でＢＳＣ装置１９に接続する。
【０００４】
ＢＴＳ４５は、無線通信リンク６０経由で移動ノードＭＮ１ ６５に通信を伝送する。ＭＮ１ ６５からの逆方向の通信は、上述した順序の逆順で上記の装置によって処理される。このようにして、ＭＮ１ ６５は通信システムに接続し、これらの接続を通じてＰＳＴＮ１０およびインターネット２０に接続する。
【０００５】
同様に、移動ノードＭＮ２ａ７５、ＭＮ２ｂ８５、ＭＮ２ｃ９５はＢＴＳ５０およびそれぞれ無線接続７０、８０および９０を通じてシステムに接続する。更に、移動ノードＭＮ３ １０５およびＭＮ４ １１５は、ＢＴＳ５５およびそれぞれ無線接続１００および１１０を通じてシステムに接続する。
【０００６】
インターネットおよびＩＰプロトコル
近年のインターネット通信は、１９６０年代に始まった技術的発展の統合、すなわち、様々な米軍のコンピュータネットワーク間の通信の支援システムの発展と、それに伴う米国の大学における研究コンピュータネットワーク間の通信の支援システムの発展との統合を示す。これらの技術的な発展は、後にコンピューティングの世界に大変革をもたらした。
【０００７】
他の多くのハイテクの発展と同様に、インターネットはもともとは米国の国防省による研究から発展した。１９６０年代において、国防省の役人は、その軍が大きなコンピュータ集団を集積しており、その中には、広範囲のオープンコンピュータネットワークに接続するものや、比較的狭いクローズドコンピュータネットワークに接続するものがあることに気づき始めた。一つのネットワークは、通常の伝送媒体を超えて通信するコンピュータあるいはコンピュータ類似の装置の集合である。国防省のコンピュータはコンピュータネットワークを開くが、クローズドシステムにおいては他の軍のコンピュータと通信をすることができない。
【０００８】
国防省の役人は、これら異なるコンピュータネットワーク間の通信ができるシステムの構築を要求した。国防省は、しかし、１極集中システムは、ミサイル攻撃や破壊行為に対して弱いことを認識していた。従って、国防省は、これら軍のコンピュータネットワーク間の通信に使用されるシステムを分散することを指示するとともに、重要なサービスは少数の弱いポイントに集中させることのないように指示した。これらの目的を達成するために、国防省はネットワークコンピュータ間の通信のための分散された標準プロトコルを実現した。
【０００９】
数年後、連邦科学財団は、国を超えた様々な研究機関におけるネットワークコンピュータを接続するように指示した。連邦科学財団は、国防省の通信プロトコルを採用し、研究コンピュータネットワークの統合は最終的にインターネットへと発展した。
【００１０】
異なるネットワークにおけるコンピュータ間のデータ通信を管理する国防省の通信プロトコルは、インターネットプロトコル（ＩＰ）標準と呼ばれた。ＩＰ標準は、今やインターネット上のコンピュータおよびネットワーク間の通信を支援する。ＩＰ標準は、ユーザに提供されるサービスのタイプを定義し、これらのサービスの支援に必要なメカニズムを明記する。ＩＰ標準は、また、上位のまたは下位のシステムのインタフェースを記述し、これらのインタフェース上で提供されるサービスを定義し、システムにおいて要求されるサービスの実行環境の概略を記述する。
【００１１】
伝送制御プロトコル（ＴＣＰ）と呼ばれる伝送プロトコルもまたパケット交換コンピュータネットワーク間におけるコネクション型のエンドツーエンドの伝送を提供するために発展してきた。ＴＣＰとＩＰとの結合（ＴＣＰ／ＩＰ）は、インターネットにおけるコンピュータ間でデータを伝送し、通信するための通信プロトコルの一つのシステムまたは組合せを構築する。ＴＣＰ／ＩＰ標準は、ネットワークまたはサブネットワークの境界を超えて接続し、あるいは接続に役立つであろうパケット交換ネットワークに必須のものとなった。
【００１２】
ＴＣＰ／ＩＰプロトコル
典型的な通信シナリオにおいては、データは最初のコンピュータ中のアプリケーションプログラムから、最初のコンピュータのネットワークハードウェアを通じ、そして、伝送媒体を超えて、インターネット上の目的地まで伝送される。目的となるコンピュータネットワークに到達した後、そのデータは目的となるネットワークを通じて２番目のコンピュータまで伝送される。その２番目のコンピュータは、次に、同様のアプリケーションプログラム上の同一のプロトコルを用いてその通信を解釈する。インターネット通信において用いられる標準プロトコルであるため、その２番目のコンピュータ上のＴＣＰ／ＩＰプロトコルは、伝送された情報を最初のコンピュータによって伝送された元々のデータにデコードする。
【００１３】
インターネット通信を十分支援するため、ＴＣＰ／ＩＰプロトコルシステムは、以下の役割を果たさなければならない。（１）伝送媒体中を効率よく通過させるために、メッセージを扱いやすい大きさのデータに分割する。（２）ネットワークアダプタハードウェアを媒介する。（３）目的のデータを特定のコンピュータにアドレシングし、そのコンピュータがそのデータを受信したことを認識させ、あるいは受信されたものと思われるメッセージが存在しないことを認識させる。（４）送信元および目的のコンピュータが異なるネットワーク上にある場合にもデータを目的となるコンピュータにルーティングする。ＴＣＰ／ＩＰネットワークプロトコルは、また、エラーチェックを行い、データフローを制御する。また、ＴＣＰ／ＩＰプロトコルは、論理的伝送、ハイレベルのネーミングサービス、そしてアプリケーションプログラム支援のような多くの重要な点を支援する。
【００１４】
ＴＣＰ／ＩＰプロトコル層
ＴＣＰ／ＩＰ通信における一つのルールは、コンピュータのユーザがデータ通信の詳細に没頭する必要がないことである。この目的を達成するため、ＴＣＰ／ＩＰ標準は、階層的な通信システムの構造を置く。その全ての層は、ネットワークにおける各コンピュータ上に配置され、各モジュールまたは各層は、論理的に他の層と独立した機能を果たす分割された部分となっている。
【００１５】
ＴＣＰ／ＩＰとその関連するプロトコルは、インターネット上でどのようにしてデータが処理され、伝送され、受信されるかを定義する標準化されたシステムを構築する。ＴＣＰ／ＩＰは、ネットワーク通信処理を定義し、そして、より重要なこととして、データ単位がどのように見え、データを受信したコンピュータがメッセージを正しく解釈できるようにどういう情報がメッセージに含められるべきかを決定する。ＴＣＰ／ＩＰが標準化された階層構造を有するがために、ベースデータの連続的な変換は、ＴＣＰ／ＩＰの変換ソフトウェアのバージョンやベンダーにかかわらず保証される。
【００１６】
ＴＣＰ／ＩＰプロトコルスイートは、コンピュータ上のアプリケーションプログラムとデータ通信に関するハードウェア上のアプリケーションプログラムとの間のインタフェースである。各層は、ネットワーク通信において、それぞれに割り当てられた機能を果たす。ＴＣＰ／ＩＰのプロトコル層とＯＳＩのプロトコル層が表Ｉに定義される。
【００１７】
【表１】
2004512787.tif 000003
【００１８】
インターネット上で、ある最初のコンピュータが２番目のコンピュータにデータメッセージを送信（メッセージあるいは要求情報のいずれかを送信）すると、最初のコンピュータにおけるＴＣＰ／ＩＰプロトコル層は、ベースデータに付加的な情報を加えて２番目のコンピュータに送信するベースデータを作成する。そのベースデータがそのプロトコルの各層を通って下がっていくとともに、新しい情報（例えば、ヘッダ）が加えられる。この処理の後、様々なヘッダが付加されたベースデータは、ＴＣＰ／ＩＰプロトコルの下で、完全な構造のデータダイアグラムとなる。
【００１９】
ベースデータがプロトコルにおける全ての層において処理された後、ベースデータは、インターネットを通じて２番目のコンピュータに送信される準備ができる。そのデータグラムは、インターネット上で送信され、目的となるコンピュータに受信される。入ってきたデータを解釈するため、２番目のコンピュータによって、同様のＴＣＰ／ＩＰプロトコル層が逆順に用いられる。伝送された情報が２番目のコンピュータにおけるプロトコル層を通って上がっていくにつれて、各プロトコルレベルは、付加された情報（例えば、ヘッダ）を取り去り、２番目のコンピュータのアプリケーションプログラム中にベースデータが残るようにする。
【００２０】
ＯＳＩモデルにおいては、アプリケーション層（レベル７）は、ユーザによって起動されたコンピュータプログラム固有の情報の伝送を支援する。アプリケーション層のプロトコルのいくつかは、電子メール交換の方法を定義し、他のアプリケーション層のプロトコルは、あるコンピュータから別のコンピュータへのファイルの転送方法を定義し、または、サーバによるブラウザのページからのウェブページの取り出し方を定義する。
【００２１】
ＯＳＩモデルにおけるプレゼンテーション層（レベル６）は、アプリケーションプログラムによって交換される情報の構造および語義を定義する。このことは、プレゼンテーション層のプロトコルは、アプリケーションプログラムにおけるインテジャーやテキストメッセージ、そして、他のデータが、どのようにしてエンコードされ、ネットワークを超えて伝送されるかを定義していることを意味する。この層は、コンピュータが異なるタイプのハードウェアおよびオペレーションシステムを使用することを支援し、それによって、全てのコンピュータが、その特有のデータ記録方法またはデータ処理方法を有するにもかかわらず、低いプロトコル層を用いて情報を交換することを可能にする。
【００２２】
セション層（レベル５）は、比較的高いレベルの層において動作するアプリケーション指向のタスクに基づいて、トランスポート層に一連のデータを供給する。セション層のプロトコルの中には、ネットワーク破壊が起きた場合の通信を回復させる周期チェックポイントを供給するものがある。実際の環境においては、アプリケーション層、プレゼンテーション層、そしてセション層（レベル５、６そして７）は、アプリケーション層と呼ばれる単一の層として示される。
【００２３】
トランスポート層（レベル４）は、データをネットワーク層上においてパケット送信する役割を果たす。トランスポート層のプロトコルは、伝送されるセグメントにおけるエラーを検知し、これらのエラーを訂正する方法を定義する。トランスポート層は、ＴＣＰプロトコルを用いることが多い。なぜなら、ＴＣＰプロトコルは、高い信頼性を有し、エラーチェック機能を有しているからである。ＴＣＰプロトコルは、また、ネットワーク層への簡易なインタフェースであるＵＤＰプロトコルも用いる。ＵＤＰプロトコルは、ＴＣＰプロトコルよりも速い一方で、必ずしもデータ伝送における大きな信頼性を提供する必要はない。
【００２４】
ＯＳＩモデルにおいては、ネットワーク層は、第１層および第２層（データリンク層および物理層）によって定義される物理的なネットワークと、第４層から第７層（トランスポート層、セション層、プレゼンテーション層そしてアプリケーション層）によって定義されるより高いレベルのプロトコル水準との間のインタフェースを提供する。ネットワーク層は、インターネット上でデータパケットを送信元から最終的な目的地に送信するため、データリンク層によって提供されるフレーム伝送装置を用いる。
【００２５】
ネットワーク層は、データの論理的な伝送とルーティングのために不可欠なＴＣＰ／ＩＰプロトコルを支援する。ＩＰプロトコルに従って、ネットワーク層は、データをフォーマットし、物理的なハードウェアアドレスに基づいて、データを目的となるネットワークまたはサブネットワークに伝送する。ネットワーク層のプロトコルは、また、どのようにしてネットワーク機器が他のネットワーク機器およびコンピュータの存在を見つけるかを定義し、また、どのようにしてパケットがその最終目的地を見つけるかを定義する。ネットワーク層は、また、物理的なネットワーク上で届けられたデータのエラーチェックも行う。
【００２６】
データリンク層（レベル２）は、ネットワークアダプタとのインタフェースを提供し、ネットワークへの論理的なリンクを維持する。データリンク層は、また、あるコンピュータから同一のネットワークまたはサブネットワーク上の隣接するコンピュータへデータフレームを運ぶために、物理層によって提供される生のビットの伝送装置を用いる。データリンク層のプロトコルは、各データフレームの信頼性を保証する方法を定義し、また、多くのコンピュータが分担するメディアタイプへのアクセスを媒介する。
【００２７】
物理層（レベル１）は、生のデータビットを通信媒体を通じて伝送する。物理層は、通信媒体の電気的および機械的な特徴、ビットレート、電位、そして、通信システムにおける生のデータビットの通信に必要な他のパラメータを定義する。物理層は、そのデータストリームを電気的あるいはアナログの信号に変換し、データの伝送を検査する。
【００２８】
第２層および第３層において動作するタスクは、ハイレベルのアプリケーションプログラムレベルと物理的な通信ネットワークレベルとを媒介する重要な役割を果たす。あらかじめ、これら低いレベルのプロトコル上で動作するタスクは、自動化されている。なぜなら、それらは、低いレベルのデータ構造上で動作し、また、これら低いレベルのタスクは、通信システム上の物理的ハードウェアを制御するからである。これらの低いレベルの層は、主にコンピュータユーザが、データビット伝送や経路決定の詳細に煩わされないように、直接ユーザが関与または制御することなく自ら仮想的に動作する。
【００２９】
（発明の要旨）
今日の無線通信システムは、様々な伝送レートで伝送される様々なサイズの情報パケットを取り扱う。無線通信システム上における伝送のサイズ、タイプそして頻度は様々であるため、プロトコルヘッダ（通常ＴＣＰ／ＩＰパケットについては４０バイト）がＢＳＣ１９からＢＴＳ４５，５０または５５へのバックホール接続上の全ての通信において存在している。比較的大きなサイズの情報パケット、そして、配信頻度が少ない情報パケットにとっては、大きなヘッダサイズは、システム全体の効率性に影響しない。しかし、頻繁に配信される（例えば音声通信について１０ミリ秒から２０ミリ秒毎）比較的小さなサイズのデータパケット（例えば１０から２０バイトの長さ）にとっては、このプロトコルヘッダの長さはデータパケットサイズに比して不釣り合いに長く、このため、バックホール接続上の通常の帯域幅より大きい帯域幅を占めることになる。
【００３０】
このため、本発明の目的は、無線基地局制御装置１９（ＢＳＣ）と無線基地局（ＢＴＳ）４５、５０または５５との間のバックホール接続上の情報パケットの伝送を最適化することである。本発明は、ユーザ接続をマップし、比較的小さいサイズの頻繁になされる情報パケット伝送におけるＴＣＰ／ＩＰヘッダを取り去り、そして、ＢＳＣ１９装置とＢＴＳ４５、５０、５５装置との間をトンネリングするするために情報パケット中のデータを多数のストリングに連結するＩＰ適応層プロトコルを用いることによりこの目的を達成する。このようにして、本発明は、情報パケット伝送のオーバヘッド（例えば、ヘッダ）を減らすことにより、ＢＳＣ１９装置とＢＴＳ４５、５０、５５装置との間のバックホール接続上において利用できる帯域幅を、より効率的に使用する。
【００３１】
【発明の実施の形態】
無線通信システムを、図１に示す。図１では、公衆交換電話網（「ＰＳＴＮ」）１０が、接続ライン１２経由で移動通信用交換機１５に接続されている。雲あるいはネットワークで構成されるものとして表されるインターネット２０が、接続ライン２２を通じてパケットデータサービスノード２４に接続している。移動通信用交換機１５は、接続ライン１７経由で基地局制御装置（「ＢＳＣ」）１９に接続しており、パケットデータサービスノード２４は、接続ライン２５を通じて基地局制御装置１９に接続している。
【００３２】
通信システムにおける通信は、ＰＳＴＮ１０、インターネット２０またはＭＮ１ ６５、ＭＮ２ａ７５、ＭＮ２ｂ８５、ＭＮ２ｃ９５、ＭＮ３ １０５、ＭＮ４ １１５に示す移動ノードと呼ばれることがある移動装置へ伝送するためにＢＳＣ１９によって処理される。移動ノードＭＮ１ ６５への通信のために、ＢＳＣ１９はバックホール接続４０を通じて無線基地局（「ＢＴＳ」）４５へ通信する。ＢＴＳ５０はバックホール接続３５経由でＢＳＣ装置１９に接続し、ＢＴＳ５５はバックホール接続３０経由でＢＳＣ装置１９に接続する。
【００３３】
ＢＴＳ４５は、無線通信リンク６０経由で移動ノードＭＮ１ ６５に通信を伝送する。ＭＮ１ ６５からの逆方向の通信は、上述した順序の逆順で上記の装置によって処理される。このようにして、ＭＮ１ ６５は通信システムに接続し、これらの接続を通じてＰＳＴＮ１０およびインターネット２０に接続する。
【００３４】
同様に、移動ノードＭＮ２ａ７５、ＭＮ２ｂ８５、ＭＮ２ｃ９５はＢＴＳ５０およびそれぞれ無線接続７０、８０および９０を通じてシステムに接続する。更に、移動ノードＭＮ３ １０５およびＭＮ４ １１５は、ＢＴＳ５５およびそれぞれ無線接続１００および１１０を通じてシステムに接続する。
【００３５】
プロトコルヘッダ（通常ＴＣＰ／ＩＰについては４０バイト）はＢＳＣ１９からＢＴＳ４５、５０、５５までのバックホール接続上の全ての通信に提供される。比較的大きいサイズの情報パケット及び通信頻度が少ない情報パケットにとっては、大きなプロトコルヘッダサイズはシステム全体の効率性に影響しない。しかし、頻繁に配信される（例えば、音声通信について１０ミリ秒から２０ミリ秒毎）比較的小さいサイズのデータパケット（例えば、１０から２０バイトの長さ）については、プロトコルの長さはデータパケットのサイズに比して不釣り合いに長く、このため、バックホール接続上の通常の帯域幅よりも大きい帯域幅を占めている。
【００３６】
不釣り合いに大きいバックホール接続のオーバーヘッドの問題に対する提言されている従来技術の一つの解決策は、バックホールＢＳＣ／ＢＴＳ接続が示される図２に示されている。インターネット１２０は通信リンク１２２経由でＢＳＣ１１９に接続されている。バックホール接続１３０はＢＳＣ１１９とＢＴＳ１５０の間に存在する。移動ノードＭＮ２ａ１７５、ＭＮ２ｂ１８５、ＭＮ２ｃ１９５は、ＢＴＳ１５０とそれぞれ無線接続１７０、１８０及び１９０を通じてシステムに接続する。
【００３７】
この解決法においては、ＢＳＣ１１９とＢＴＳ１５０の間の全ての通信は、ポイントツーポイント「ＰＰＰ」方式の多重送信パケット内に置かれる。ＰＰＰ方式のプロトコルは、本質的に表ＩＩに示すようにＩＰ層の下で追加的プロトコル層を追加するものである。
【００３８】
【表２】
2004512787.tif 000004
【００３９】
ＰＰＰ多重送信プロトコルは情報パケットのサイズあるいは伝送頻度にかかわらず実行される。従って、情報パケットにおいてデータサイズが小さい場合、ＰＰＰ多重送信は効果的である。しかし、情報パケットにおいてデータサイズが大きい場合は、ＰＰＰ多重送信は必要ない。この提案されたＰＰＰプロトコル解決策の下では、とにかくこれは実行されるであろう。さらにＰＰＰ多重送信はバックホールＢＳＣ／ＢＴＳ接続に用いられる既存の機器とは両立しない追加的副層を加える。そうであるから、このＰＰＰ方式のプロトコルはバックホール通信の問題についての優れたあるいは効果的な解決策ではない。
【００４０】
図３に示される通り、本発明はバックホールＢＳＣ／ＢＴＳ接続と類似の表現を用いて示される。インターネット２２０は通信リンク２２２を経由し、ＩＰ適合層（ＩＰＡＬ）２２８を通じてＢＳＣ２１９に選択的に接続する。バックホール接続２３０はＢＳＣ２１９とＢＴＳ２５０の間に配置されている。移動ノードＭＮ２ａ２７５、ＭＮ２ｂ２８５、ＭＮ２ｃ２９５はバックホール接続２３０、ＢＴＳ２５０、ＩＰＡＬ２５１及びそれぞれ無線接続２７０，２８０そして２９０を通じてＢＳＣ２１９に接続される。通信がバックホール接続２３０を通じて伝送された後は、ＢＴＳ２５０はＩＰＡＬ２５１を通じて通信を無線接続２７０，２８０そして２９０に伝送する。このＩＰＡＬ層２５１は移動ノードへ伝送する適当なデータを引き出すためにＩＰＡＬ２２８と逆の動作を行う。
【００４１】
制御信号伝送や大きいサイズの情報パケットのような、ＢＳＣ２１９へのいくつかの接続は接続２２４を通じて直接ＢＳＣに接続される。これらの直接の接続は、ＭＮ２ｄ２９１のような移動ノードへの情報パケットの伝送のために用いられ、本発明の下での情報パケットの変更を伴わない。ＭＮ２ｄ２９１への直接の接続は、バックホール通信リンク２３０、ＢＴＳ２５０そして、無線通信リンク２９２をたどる。これらの直接のＭＮ２ｄ２９１への接続は、ＩＰＡＬ２２８又は２５１プロトコルを使用しない。
【００４２】
好適な実施例では、ＩＰＡＬ２２８及び２５１のアプリケーションはセレクトユーザ（例えば頻繁に伝送される比較的小さいサイズのデータパケット）のためのＩＰ層の上に位置する追加的プロトコル層であり、表ＩＩＩに示す通りＢＴＳで既に使われている類似の両立可能な機器を利用することが可能である。
【００４３】
【表３】
2004512787.tif 000005
【００４４】
ＩＰ適合層（ＩＰＡＬ）は、接続が最初にセットアップされたときに電話の音声やＶｏＩＰユーザのように小さいサイズのデータパケットを頻繁に通信システムに伝送するノードに対する適切な接続をマップする。ＩＰＡＬ接続は、最初の接続セットアップ期間に、維持されている接続のタイプについての情報とともに、ＢＳＣ２１９に存在するＩＰＡＬ２２８及びＢＴＳ２５０にあるＩＰＡＬ２５１のマッピングテーブルにマップされる。
【００４５】
本発明の選択は、ユーザ１及び２が適切なユーザであり（例えば頻繁にシステムに伝送される小さいパケットサイズ）、そしてＩＰＡＬ２２８と２５１のアプリケーションが実行される表ＩＩＩにおいてみることができる。そのような意味で、ユーザ３は頻繁には伝達されないし大きいサイズの情報パケットのみを伝送するので、ユーザ３は適切なＩＰＡＬユーザではない可能性がある。ＩＰＡＬ２２８は、ある特定のタイプの通信上で本発明を選択的に使用し、修正なしに伝送される不適切な通信を許容する。
【００４６】
従って、本発明の利用は、発明が必要とされる場所、すなわち頻繁に伝送される小さいデータサイズの情報パケット上（例えばＶＯＩＰ、電話音声）に柔軟性をもたらし、また、本発明はＩＰＡＬプロトコルに適合しない情報パケットのための不必要なプロトコルによってシステムに負担をかけることはない。さらに、本発明は、ＡＴＭベースのＢＳＣ２１９及びＢＴＳ２５０ユニットにおいて既に利用されている機器と両立する既存の機器を使用する。
【００４７】
本発明のためのＩＰＡＬプロトコルは、そのプロトコルがステップ３００において開始する図４において示され、そのステップ３００において、それぞれの新しい接続のために初期化あるいはセットアップマッピング処理が実行される。ステップ３００において、ＩＰ適合層（ＩＰＡＬ）は、電話の音声やＶｏＩＰユーザのように小さいサイズのデータパケットを頻繁に通信システムを通じて伝送するノードのための適切な接続をマップする。さらにＩＰＡＬ接続は、ＢＳＣ２１９にあるＩＰＡＬ２２８及びＢＴＳ２５０にあるＩＰＡＬ２５１のマッピングテーブルにマップされ、維持されている接続のタイプに関する情報もマップされる。
【００４８】
ステップ３００後は、そのプロトコルはステップ３２０に進む。ステップ３２０では、ＩＰＡＬプロトコルを実行する装置であるＢＳＣ２５０あるいはＢＴＳ２５０のいずれも、ＴＣＰ／ＩＰあるいはＵＤＰ／ＩＰヘッダを有する情報パケットを受信する。ＩＰＡＬ２２８または２５１はＢＳＣ２１９またはＢＴＳ２５０中で各々実行される。
【００４９】
３つのユーザ情報パケットが図５に示される。ユーザ１情報パケットは「Ａ」によって示されるデータパケット及びＴＣＰ／ＩＰまたはＵＤＰ／ＩＰヘッダ５０５を有する。同様に図５には、「Ｂ」によって示されるデータパケットとＴＣＰ／ＩＰまたはＵＤＰ／ＩＰヘッダ５１５を有するユーザ２情報パケットと、「Ｃ」によって示されるデータパケットとＴＣＰ／ＩＰまたはＵＤＰ／ＩＰヘッダ５２５を有するユーザ３情報パケットが示される。
【００５０】
ＩＰＡＬプロトコルは、ステップ３４０に進み、そのプロトコルは、伝送のためにいくつかのユーザ情報パケットを作成する。ステップ３４０においては、ＴＣＰ／ＩＰまたはＵＤＰ／ＩＰヘッダは、それぞれのユーザ情報パケットから分離され、より小さいＩＰＡＬデータパケットヘッダが各データパケットに付加される。図８に示されるように、より小さいＩＰＡＬデータパケットヘッダは、ＡＴＭ適合層において用いられるヘッダと両立しうる３オクテットＣＰＳへッダーたり得、それゆえにＢＳＣ２１９及びＢＴＳ２５０に存在するＡＴＭ機器とも両立しうる。さらに、データパケットペイロード（図８において「Ａ」として示される）に付加されるより小さいＩＰＡＬデータパケットヘッダは、２４８の値を持つチャネルＩＤ設定値（図８において「Ｃ」として示される）、ＩＰＡＬデータパケットペイロードの長さを示す長さ表示（図８において「Ｌ」として示される）、ＳＳＣＳそして管理信号及び制御信号を運ぶ層管理主体が利用可能なユーザ間表示（図８において「Ｕ」として示される）、そしてエラー探知のためのエラー制御表示（図８において「Ｅ」として示される）を含み得る。
【００５１】
別の実施例においては、長さ表示は他の適応層プロトコルまたは別の実施例と同様の方法で定義され、長さ表示は長いデータパケットペイロードを示すために、全て「１１１１ｓ」と設定される。受信したＩＰＡＬは、長さその他を決定するためにデータパケットペイロードにおいて、最初の２オクテット分の余分の情報を読まなくてはならない。
【００５２】
ステップ３４０では、いくつかのデータパケットは連結されて、比較的大きいＩＰＡＬパケットに入れ込まれる。このタイプの連結ＩＰＡＬパケット６００は、ユーザ情報パケット５００からのデータであるデータパケット「Ａ」が、比較的小さいヘッダ６０５とともにＩＰＡＬパケット６００内の位置６１０に配置されている図６に示される。ユーザ情報パケット５１０からのデータであるパケット「Ｂ」は、比較的小さいヘッダ６１５とともにＩＰＡＬパケット６００内の位置６２０に配置されている。ユーザ情報パケット５２０からのデータであるデータパケット「Ｃ」は、比較的小さいヘッダ６２５とともにＩＰＡＬパケット６００内の位置６３０に配置されている。処理ステップ３４０の間に、ＩＰＡＬプロトコルは、ＭＮユーザによって最初にコネクション確立がなされたときにセットアップされるマッピングＩＰＡＬテーブルに基づいて、データパケットペイロードを一列に連結する。
【００５３】
ＩＰＡＬプロトコルはＩＰＡＬパケット６００が、図７で示されているように、ＢＳＣ／ＢＴＳバックホール接続間にＩＰＡＬパケット６００をトンネリングするためにＩＰＡＬパケット６８０に加えられる単一のＩＰヘッダ６３５を有するステップ３６０に進む。比較的小さなＩＰＡＬヘッダ６４０，６５５，６６５のようなＩＰＡＬパケット６８０の構成部分は図６のＩＰＡＬパケット６００内のヘッダ６０５，６１５、６２５に対応する。さらに、ＩＰＡＬデータパケット６１０，６２０そして６３０のようなＩＰＡＬパケット６８０の構成部分は図６のＩＰＡＬパケット６００内のヘッダ６５０，６６０そして６７０に対応する。ＩＰヘッダ６３５がＩＰＡＬパケット６８０上に配置された後はＩＰＡＬパケットはＢＳＣ／ＢＴＳバックホール接続をトンネリングする。
【００５４】
ＩＰＡＬプロトコルはステップ３６０からステップ３８０に進み、対応するＩＰＡＬサブシステムにおいて逆のステップを用いてＩＰＡＬパケット６８０はデトンネリングまたはデプロセスされる。デプロセスステップにより、ＩＰＡＬパケット６８０がＩＰヘッダ６３５から分離され、ＩＰＡＬパケット６００となる。ＩＰＡＬパケット６００中のＩＰＡＬデータパケットペイロードは分割されて、情報パケット５００の「Ａ」、情報パケット５１０の「Ｂ」そして情報パケット５２０の「Ｃ」に示す各ユーザデータパケット中に格納される。ステップ３８０でデプロセスされた後、ＩＰＡＬプロトコルはステップ４００に進み、ＭＮユーザによってコネクションが最初に確立されたときにセットアップされるマッピングＩＰＡＬテーブルに基づいて、データパケットペイロードは、正しく対応する移動ノードに分配される。
【００５５】
このようにして、本発明はバックホール接続上の任意の伝送から大きなオーバヘッドヘッダを減らすことによって本発明の目的を現行の装置特性と矛盾しない柔軟な解決に導く。本発明は好適な実施例に関連して特に示され、そして記述されてきたが、本発明における微細な変更は本発明の概念を逸脱するものではない。本発明の説明を終え、以下にクレームする。
【図面の簡単な説明】
発明の目的と特徴は、添付した図面に関連して読まれたときに、後に続く詳細な説明と請求項からより容易に理解されるであろう。
【図１】
従来技術の無線通信システムの構成図である。
【図２】
ポイントツーポイント（「ＰＰＰ」）接続を用いたバックホール接続の構成図である。
【図３】
ある伝送におけるＩＰＡＬインタフェースを用いたバックホール接続の構成図である。
【図４】
本発明の情報パケット伝送処理のフローチャートを示す図である。
【図５】
各ユーザの情報パケットを示す図である。
【図６】
ＩＰＡＬの動作後の情報パケット中の連結された一連のデータを示す図である。
【図７】
ＢＳＣとＢＴＳ装置との間をトンネリングする情報パケットを示す図である。
【図８】
データパケットペイロード「Ａ」を有する比較的小さいＩＰＡＬデータパケットヘッダを示す図である。
【図１】
2004512787.tif 000006
【図２】
2004512787.tif 000007
【図３】
2004512787.tif 000008
【図４】
2004512787.tif 000009
【図５】
2004512787.tif 000010
【図６】
2004512787.tif 000011
【図７】
2004512787.tif 000012
【図８】
2004512787.tif 000013
【国際公開パンフレット】
2004512787.tif 000014
2004512787.tif 000015
2004512787.tif 000016
2004512787.tif 000017
2004512787.tif 000018
2004512787.tif 000019
2004512787.tif 000020
2004512787.tif 000021
2004512787.tif 000022
2004512787.tif 000023
2004512787.tif 000024
2004512787.tif 000025
2004512787.tif 000026
2004512787.tif 000027
2004512787.tif 000028
2004512787.tif 000029
2004512787.tif 000030
2004512787.tif 000031
2004512787.tif 000032
2004512787.tif 000033
2004512787.tif 000034
2004512787.tif 000035
2004512787.tif 000036
2004512787.tif 000037
2004512787.tif 000038
2004512787.tif 000039
2004512787.tif 000040
2004512787.tif 000041
2004512787.tif 000042
【国際公開パンフレット（コレクトバージョン）】
2004512787.tif 000043
2004512787.tif 000044
【国際公開パンフレット（コレクトバージョン）】
2004512787.tif 000045
2004512787.tif 000046
【手続補正書】
【提出日】平成15年2月4日(2003.2.4)
【手続補正１】
【補正対象書類名】明細書
【補正対象項目名】特許請求の範囲
【補正方法】変更
【補正の内容】
【特許請求の範囲】
【請求項１】
バックホール接続によって接続された無線基地局制御装置と無線基地局とを備える通信システム上の移動ノードに対する通信方法であって、
無線基地局制御装置から伝送されるデータパケットをそれぞれ有する多量のユーザ情報パケットを受信するステップと、
その多量のユーザ情報パケットにおいて選択されたデータパケットから適応層の情報パケットを作成するステップとを有し、
前記適応層の情報パケットは、アドレシングのためのＩＰヘッダとバックホール接続を超えて伝送される選択されたデータパケットを有するデータペイロードを備え、
無線基地局制御装置から無線基地局制御装置と無線基地局との間の専用接続であるバックホール接続を通じて、適応層の情報パケットをトンネリングするステップを有する
ことを特徴とする移動ノードに対する通信方法。
【請求項２】
請求項１に記載された移動ノードに対する通信方法において、
適応層のプロトコル上での適応層の情報パケットの作成に使用される選択されたデータパケットは、ユーザ情報パケットのヘッダのサイズよりも小さいサイズのデータパケットを含む
ことを特徴とする移動ノードに対する通信方法。
【請求項３】
請求項１に記載された移動ノードに対する通信方法において、
適応層のプロトコル上での適応層の情報パケットの作成に使用される選択されたデータパケットは、無線基地局制御装置から頻繁に伝送されるデータパケットを含む
ことを特徴とする移動ノードに対する通信方法。
【請求項４】
請求項３に記載された移動ノードに対する通信方法において、
適応層の情報パケットの作成に使用される選択されたデータパケットは、ユーザ情報パケットのヘッダのサイズよりも小さいサイズのデータパケットを含む
ことを特徴とする移動ノードに対する通信方法。
【請求項５】
請求項１に記載された移動ノードに対する通信方法において、
適応層のプロトコル上での適応層の情報パケットの作成は、各データパケットに小さいヘッダを付加することを含む
ことを特徴とする移動ノードに対する通信方法。
【請求項６】
請求項５に記載された移動ノードに対する通信方法において、
小さいヘッダはチャネル識別子設定値を含む
ことを特徴とする移動ノードに対する通信方法。
【請求項７】
請求項５に記載された移動ノードに対する通信方法において、
小さいヘッダは長さ表示設定値を含む
ことを特徴とする移動ノードに対する通信方法。
【請求項８】
請求項５に記載された移動ノードに対する通信方法において、
小さいヘッダはユーザ制御設定値を含む
ことを特徴とする移動ノードに対する通信方法。
【請求項９】
請求項５に記載された移動ノードに対する通信方法において、
小さいヘッダはエラー制御設定値を含む
ことを特徴とする移動ノードに対する通信方法。
【請求項１０】
請求項１に記載された移動ノードに対する通信方法において、
適応層のプロトコル上での適応層の情報パケットの作成は、多数のデータパケットを連結して適応層の情報パケット中に入れ込むことを含む
ことを特徴とする移動ノードに対する通信方法。
【請求項１１】
請求項１０に記載された移動ノードに対する通信方法において、
適応層の情報パケットの作成は、適応層の情報パケットにＩＰヘッダを付加することを含む
ことを特徴とする移動ノードに対する通信方法。
【請求項１２】
請求項１に記載された移動ノードに対する通信方法において、更に、
無線基地局制御装置に接続する無線基地局において適応層の情報パケットを受信した後にその適応層の情報パケットをデプロセスするステップを有する
ことを特徴とする移動ノードに対する通信方法。
【請求項１３】
請求項１２に記載された移動ノードに対する通信方法において、
適応層のプロトコル上で適応層の情報パケットをデプロセスすることは、適応層の情報パケットからＩＰヘッダを取り除くことを含む
ことを特徴とする移動ノードに対する通信方法。
【請求項１４】
請求項１２に記載された移動ノードに対する通信方法において、
適応層のプロトコル上で適応層の情報パケットをデプロセスすることは、移動ノードへ伝送する各データパケットを適応層の情報パケットから分離することを含む
ことを特徴とする移動ノードに対する通信方法。
【請求項１５】
無線基地局制御装置を備える通信システム上の移動ノードに対する通信方法であって、
バックホール接続を超えて無線基地局制御装置から無線基地局へ伝送されるデータパケットをそれぞれ有する多量のユーザ情報パケットを受信するステップと、
そのバックホール接続を超えて伝送される全てのユーザ情報パケットからデータパケットを選択するステップと、
アドレシングのためのＩＰベースのヘッダと多量の連結された選択データパケットを含むデータペイロードを用いて適応層の情報パケットを作成するステップと、
無線基地局制御装置から無線基地局制御装置と無線基地局との間の専用接続であるバックホール接続を超えて、適応層の情報パケットをトンネリングするステップとを有する
ことを特徴とする移動ノードに対する通信方法。
【請求項１６】
請求項１５に記載された通信システム上の移動ノードに対する通信方法であって、
適応層の情報パケットの作成に使用される選択されたデータパケットはユーザ情報パケットのヘッダのサイズより小さいサイズのデータパケットを含む
ことを特徴とする移動ノードに対する通信方法。
【請求項１７】
請求項１５に記載された通信システム上の移動ノードに対する通信方法であって、
適応層の情報パケットの作成に使用される選択されたデータパケットは無線基地局制御装置から頻繁に伝送されるデータパケットを含んでいる
ことを特徴とする移動ノードに対する通信方法。
【請求項１８】
請求項１７に記載された通信システム上の移動ノードに対する通信方法であって、
適応層の情報パケットの作成に使用される選択されたデータパケットはユーザ情報パケットのヘッダのサイズより小さいサイズのデータパケットを含む
ことを特徴とする移動ノードに対する通信方法。
【請求項１９】
請求項１５に記載された通信システム上の移動ノードに対する通信方法であって、
適応層の情報パケットの作成は、各データパケットに小さいヘッダを付加することを含む
ことを特徴とする移動ノードに対する通信方法。
【請求項２０】
請求項１９に記載された移動ノードに対する通信方法において、
小さいヘッダはチャネル識別子設定値を含む
ことを特徴とする移動ノードに対する通信方法。
【請求項２１】
請求項１９に記載された移動ノードに対する通信方法において、
小さいヘッダは長さ表示設定値を含む
ことを特徴とする移動ノードに対する通信方法。
【請求項２２】
請求項１９に記載された移動ノードに対する通信方法において、
小さいヘッダはユーザ制御設定値を含む
ことを特徴とする移動ノードに対する通信方法。
【請求項２３】
請求項１９に記載された移動ノードに対する通信方法において、
小さいヘッダはエラー制御設定値を含む
ことを特徴とする移動ノードに対する通信方法。
【請求項２４】
請求項１５に記載された移動ノードに対する通信方法において、更に、
無線基地局制御装置に接続する無線基地局において適応層の情報パケットを受信した後にその適応層の情報パケットをデプロセスするステップを有する
ことを特徴とする移動ノードに対する通信方法。
【請求項２５】
請求項２４に記載された移動ノードに対する通信方法において、
適応層の情報パケットをデプロセスすることは、適応層の情報パケットからＩＰヘッダを取り除くことを含む
ことを特徴とする移動ノードに対する通信方法。
【請求項２６】
請求項２４に記載された移動ノードに対する通信方法において、
適応層の情報パケットをデプロセスすることは、移動ノードへ伝送する各データパケットを適応層の情報パケットから分離することを含む
ことを特徴とする移動ノードに対する通信方法。
【請求項２７】
無線通信ネットワークにおける移動ノードに対する通信システムであって、
電話通信網に接続する無線基地局制御装置と、
専用のバックホール接続によって無線基地局制御装置に接続する無線基地局とを備え、
前記無線基地局は、通信ネットワーク上の移動ノードと通信可能であり、
無線基地局制御装置は、無線基地局制御装置から伝送されるデータパケットをそれぞれ有する多量のユーザ情報パケットを受信し、その多量のユーザ情報パケットから選択されたデータパケットから、後にバックホール接続を超えて無線基地局へトンネリングする適応層の情報パケットを、その適応層の情報パケットのトンネリングのためのＩＰアドレスヘッダを用いて作成する
ことを特徴とする移動ノードに対する通信システム。
【請求項２８】
請求項２７に記載された通信システムにおいて、
適応層の情報パケットの作成に使用される選択されたデータパケットは、ユーザ情報パケットのヘッダのサイズよりも小さいサイズのデータパケットを含む
ことを特徴とする移動ノードに対する通信システム。
【請求項２９】
請求項２７に記載された通信システムにおいて、
適応層の情報パケットの作成に使用される選択されたデータパケットは無線基地局制御装置から頻繁に伝送されるデータパケットを含む
ことを特徴とする移動ノードに対する通信システム。
【請求項３０】
請求項２９に記載された通信システムにおいて、
適応層の情報パケットの作成に使用される選択されたデータパケットはユーザ情報パケットのヘッダのサイズより小さいサイズのデータパケットを含む
ことを特徴とする移動ノードに対する通信システム。
【請求項３１】
請求項２７に記載された通信システムにおいて、
無線基地局制御装置は、各データパケットに小さいヘッダを付加することにより適応層の情報パケットを作成する
ことを特徴とする移動ノードに対する通信システム。
【請求項３２】
請求項３１に記載された通信システムにおいて、
小さいヘッダはチャネル識別子設定値を含む
ことを特徴とする移動ノードに対する通信システム。
【請求項３３】
請求項３１に記載された通信システムにおいて、
小さいヘッダは長さ表示設定値を含む
ことを特徴とする移動ノードに対する通信システム。
【請求項３４】
請求項３１に記載された通信システムにおいて、
小さいヘッダはユーザ制御設定値を含む
ことを特徴とする移動ノードに対する通信システム。
【請求項３５】
請求項３１に記載された通信システムにおいて、
小さいヘッダはエラー制御設定値を含む
ことを特徴とする移動ノードに対する通信システム。
【請求項３６】
請求項２７に記載された通信システムにおいて、
無線基地局制御装置は、多数のデータパケットを連結することにより適応層の情報パケットを作成する
ことを特徴とする移動ノードに対する通信システム。
【請求項３７】
請求項２７に記載された通信システムにおいて、
無線基地局制御装置は、適応層の情報パケットにＩＰヘッダを付加することにより適応層の情報パケットを作成する
ことを特徴とする移動ノードに対する通信システム。
【請求項３８】
請求項２７に記載された通信システムにおいて、
無線基地局は、無線基地局において適応層の情報パケットを受信した後にその適応層の情報パケットをデプロセスする
ことを特徴とする移動ノードに対する通信システム。
【請求項３９】
請求項３８に記載された通信システムにおいて、
無線基地局は、適応層の情報パケットからＩＰヘッダを取り除くことにより適応層の情報パケットをデプロセスする
ことを特徴とする移動ノードに対する通信システム。
【請求項４０】
請求項３８に記載された通信システムにおいて、
無線基地局は、移動ノードへ伝送する各データパケットを適応層の情報パケットから分離することにより適応層の情報パケットをデプロセスする
ことを特徴とする移動ノードに対する通信システム。
【国際調査報告】
2004512787.tif 000047
2004512787.tif 000048
2004512787.tif 000049